(57)【要約】【課題】庇と取付部を一体形成することで、庇の構造と取り付けを簡単にして、安価な庇の設置を可能にするとともに、化粧板の付設によって庇の意匠性と止水効果の向上が図れるようにした建物用庇の取付構造を提供すること。【解決手段】庇１と取付部２を一体形成して、この取付部２を建物の外壁３へ止着することで、建物の外壁３に庇の取り付けを行なう建物用庇の取付構造Ａであって、上記庇１の上側に上記取付部２に近付けて化粧板４を立設し、この化粧板４の上部と取付部２の上部を連結片５、連結片６で連結して、両連結片５、６の上にコーキング７を施すようにしたこと。【選択図】図１
2008075378.tif 000002
【特許請求の範囲】
【請求項１】
庇と取付部を一体形成して、この取付部を建物の外壁に止着することで、建物の外壁に庇を取り付ける建物用庇の取付構造であって、
上記庇の上側に上記取付部に近付けて化粧板を立設し、この化粧板の上部と取付部の上部を連結片で連結して、連結片の上にコーキングを施すようにした
ことを特徴とする建物用庇の取付構造。
【請求項２】
上記化粧板と取付部の上部を連結する連結片が、化粧板側が低くて取付部側が高くなるように傾斜して設けられる
ことを特徴とする請求項１に記載の建物用庇の取付構造。
【請求項３】
上記化粧板の上端を連結片より上方へ延出させて堰部とし、この堰部と外壁とで連結片を底とするコーキングの充填溝を形成させた
ことを特徴とする請求項１又は請求項２に記載の建物用庇の取付構造。
【発明の詳細な説明】
【技術分野】
【０００１】
本発明は、建物の窓上等へ庇を取り付ける建物用庇の取付構造に関する。
【背景技術】
【０００２】
従来、外壁の周囲に添設した化粧ボーダーのレベル付近に庇を取り付ける庇取付構造において、前記庇の屋根板の先端を前記化粧ボーダー内に納めることにより、化粧ボーダーに水切り機能を持たせたものは知られている。（例えば、特許文献１参照）
【特許文献１】実開平０６−４７４５５号公報
【０００３】
上記庇取付構造は、庇の一部を化粧ボーダー内ヘ収まらせることで、建物の全周へ化粧ボーダーを途切れないように設置することができて、しかも、化粧ボーダーを庇の水切りに利用できる特徴がある。しかしながら、庇は防水紙及び屋根下地とともに、外壁パネルの下端に下地材を介して取り付けたＺ形の屋根下地金物に支持され、タッピングねじで固定してあり、また、屋根板の上端に折り返し部を形成するとともに、これを化粧ボーダーの内部に収めるという複雑な構造であって、取り付けが容易でないため、庇の設置費用が高く付き、しかも、化粧ボーダーの上部にコーキング材を塗るだけの止水であるため、コーキングした部分からの浸水を起し易い問題点がある。
【発明の開示】
【発明が解決しようとする課題】
【０００４】
本発明は前記問題点を解消し、庇と取付部を一体形成することで、庇の構造と取り付けを簡単にして、安価な庇の設置を可能にするとともに、化粧板の付設によって庇の意匠性と止水効果の向上が図れるようにした建物用庇の取付構造を提供することをその課題とする。
【課題を解決するための手段】
【０００５】
上記課題を解決するため、請求項１に係る発明は、庇と取付部を一体形成して、この取付部を建物の外壁に止着することで、建物の外壁に庇を取り付ける建物用庇の取付構造であって、上記庇の上側に上記取付部に近付けて化粧板を立設し、この化粧板の上部と取付部の上部を連結片で連結して、連結片の上にコーキングを施すようにしたことを特徴とする。
【０００６】
請求項２に係る発明は、上記化粧板と取付部とを連結する連結片が、化粧板側が低くて取付部側が高くなるように傾斜して設けられることを特徴とする。
【０００７】
請求項３に係る発明は、上記化粧板の上端を連結片より上方へ延出させて堰部とし、この堰部と外壁とで連結片を底とするコーキングの充填溝を形成させたことを特徴とする。
【発明の効果】
【０００８】
請求項１の発明によれば、取付部を一体形成した庇は、構造が簡単であって、取付部をねじ等で外壁に止着するだけで、建造時の建物への取り付けも、既存建物に取り付けも至って容易にできるので、庇の設置を安価に行なうことができて、しかも、庇の上側には取付部に近付けて、取付部と連結片で連結される化粧板を立設し、取付部との間に取付ねじ等の格納空間を形成させるとともに、連結片の上にはコーキング層を形成させたから、コーキング層による浸水の防止と、格納によるねじ等の保護が効果的に行われて、しかも、化粧板の設置は庇の基部を飾って意匠性を高める効果がある。
【０００９】
請求項２の発明によれば、化粧板と取付部とを連結する連結片を化粧板側が低く、取付け部側が高くなるように傾斜させると、連結片のねじ等による連結を行い易くて、しかも、連結片の上にコーキング層を施すと、コーキング層に排水勾配が付けられて止水の効果が高められる。
【００１０】
請求項３の発明によれば、化粧板の上端を連結片よりも上側に延出させて堰部とすると、この堰部と外壁とで連結片が底となるコーキングの充填溝が形成させて、止水効果が十分な密度と量のコーキングを充填できるため、止水効果が向上して浸水のおそれがない庇の取り付けができる。
【発明を実施するための最良の形態】
【００１１】
以下に本発明に係る建物用庇の取付構造の実施形態を図面について説明する。
【００１２】
図１において符号Ａで示す建物用庇の取付構造は、庇１と取付部２を一体形成して、この取付部２を建物の外壁３に止着することで、建物の外壁３に庇１の取り付けを行うものであり、上記庇１の上側には上記取付部２に近付けて化粧板４を立設し、この化粧板４の上部と取付部２の上部とを連結片５、連結片６で連結し、両連結片５、６の上にはコーキング７を施した構造である。
【００１３】
上記庇取付構造Ａにおける庇１は、必要とする幅と長さを有して、適当な排水勾配を付され、かつ、厚さを基部よりも先端側が次第に薄くなるようにした板状のものであり、先端の下部には水切縁８を有し、基部の上側には建物の外壁３に取付部２を有し、更に、取付部２に近付けて上面には突縁９を有するようにアルミニウムの押出成型によって一体成形される。
【００１４】
上記取付部２は、下端で庇１と一体形成された垂直片であって、上部には化粧板４との連結片５を先下がりの傾斜で設けられ、幅の中央部には建物の外壁３にアンカーボルト等のねじ１０で取り付けるための取付孔１１を所定の間隔であけられる。
【００１５】
化粧板４は、下部に庇１の上面に設けた突縁９へ係合する凹部１２を有し、上部に上記取付部２に付設した連結片５に適合する傾斜の連結片６を有し、上端は連結片５よりも上側へ延出する堰部１３となるようにアルミニウムの押出成形によって形成されて、この化粧板４と取付部２との組み合わせにより、両者の間にはねじ１６等の格納空間１４が図１及び図３に示す通り形成され、上側にはコーキング７の充填溝１５を図３に示す通りに形成する。
【００１６】
図１、図３において符号１６で示すドリリングタッピンねじは、取付部２に設けられる連結片５と化粧板４に設けられる連結片６を重ねて、両者を離脱しないように接合するものであって、図３に示す通り、重ねた連結片５と連結片６に孔１７を貫通させ、この孔１７にドリリングタッピンねじ１６を捻じ込むことで、連結片５と連結片６が結合されて化粧板４の強固な取り付けを行なう。
【００１７】
上記構成の建物用庇の取付構造Ａは、庇１と一体成形した取付部２にあけた取付孔１１にねじ１０を通して取付部を建物の外壁３へ図２に示す通りに固定する。そして、庇１の上面に設けた突縁９へ、化粧板４の下端に設けた凹部１２を図２のように係合させて、化粧板４を同図に矢印で示す方向へ回動させると、化粧板４は図３に示す通り、直立したとき、連結片６が取付部２に設けた連結片５に重なるから、この状態において、連結片６と連結片５に孔１７を貫設して、この孔１７にねじ１６を締め込めば、両連結片５、６が結合されて化粧板４を固定する。化粧板４の下端には、庇１の突縁９に回動係合し易いように、凹部１２が躯体側に、形成してある。これに伴い、化粧板４の上側の堰部１３と建物の外壁３との間には連結片５、６を底とした充填溝１５が形成されるので、充填溝１５に十分な止水効果が得られる密度と量のコーキング７を充填すれば、防水効果にも優れた庇１の取り付けが容易にできる。
【００１８】
なお、この実施形態の庇の取付構造において、薄板状に形成した庇１は、図４（ａ）（ｂ）（ｃ）に示す通り、下側面に長手方向のリブ１８を所定の間隔で平行に配置して、長手方向の曲げ強度を増すことで、長尺の庇１であっても中垂れ等の変形を生ずることがなく、しかも、リブ１８の付設によって庇１の意匠価値が高められるようにすることができる。そして、リブ１８の高さは図４（ａ）に示す通りの低目、或いは、図４（ｂ）に示す通りの高目に設定して、いずれの場合も基部よりも先端側の高さが低くなるよう形成するものとし、リブ１８の断面形状は図４（ａ）（ｂ）に示す通りの平行形、又は、図４（ｃ）に示す通りの不平行形とすることが好ましく、更に、庇１の建物からの出幅も設置条件などに応じて図４（ｃ）に示す通りの狭いものとすることもできる。また、化粧板４の下端凹部１２が、躯体側に形成してあるため、庇１と化粧板４の接合部の意匠性が良好である。
【産業上の利用可能性】
【００１９】
本発明に係る建物用庇の取付構造は、板庇を強固で止水効果にも優れるように簡単安価に取り付けるのに利用できる。
【図面の簡単な説明】
【００２０】
【図１】本発明に係る建物用庇の取付構造で板庇を建物の外壁へ取り付けた状態の断面図。
【図２】同上取付構造により庇の取り付け開始した状態を示す説明図。
【図３】同上取付構造による庇の取り付けが終了して、ドリリングタッピンねじを締め付ける前の状態を示す説明図。
【図４】（ａ）（ｂ）（ｃ）は、同上取付構造において庇をリブ付きとした各例を示す側面図。
【図５】同上取付構造で取り付けられた庇の斜視図。
【符号の説明】
【００２１】
Ａ  庇の取付構造
１  庇
２  取付部
３  建物の外壁
４  化粧板
５、６  連結片
７  コーキング
【図１】
2008075378.tif 000003
【図２】
2008075378.tif 000004
【図３】
2008075378.tif 000005
【図４】
2008075378.tif 000006
【図５】
2008075378.tif 000007